(57)【要約】【課題】  視聴することが可能な番組について同じ一覧表に加えて電子番組表としてユーザが表示させることがより自由にできる放送受信技術を提供する。【解決手段】  放送により送られた番組の電子番組ガイド情報を受信する第１の電子番組ガイド情報受信手段と、番組をネットワークから入手するための接続先を含む電子番組ガイド情報を受信する第２の電子番組ガイド情報受信手段と、前記第１の電子番組ガイド情報受信手段および前記第２の電子番組ガイド情報受信手段からそれぞれ得られた前記電子番組ガイド情報の相互の関連性を判定する関連性判定手段と、この関連性の判定において関連性が深いと判定された場合に前記それぞれ得られた前記電子番組ガイド情報から１つの電子番組ガイドを生成して表示手段に出力する電子番組ガイド出力手段とを備えたことを特徴とする放送受信装置。【選択図】      図３
2010109497.tif 000002
【特許請求の範囲】
【請求項１】
放送により送られた番組の電子番組ガイド情報を受信する第１の電子番組ガイド情報受信手段と、
番組をネットワークから入手するための接続先を含む電子番組ガイド情報を受信する第２の電子番組ガイド情報受信手段と、
前記第１の電子番組ガイド情報受信手段および前記第２の電子番組ガイド情報受信手段からそれぞれ得られた前記電子番組ガイド情報の相互の関連性を判定する関連性判定手段と、
この関連性の判定において関連性が深いと判定された場合に前記それぞれ得られた前記電子番組ガイド情報から１つの電子番組ガイドを生成して表示手段に出力する電子番組ガイド出力手段とを備えたことを特徴とする放送受信装置。
【請求項２】
前記電子番組ガイド出力手段は、ビデオ・オン・デマンドにより視聴可能な番組についてはその旨を識別可能に前記電子番組ガイドを生成することを特徴とする請求項１記載の放送受信装置。
【請求項３】
ユーザが番組を視聴中にこの番組と前記関連性が深いと判定される関連番組に対して、この関連番組がユーザがビデオ・オン・デマンドにより視聴可能な番組である場合に、この番組が視聴可能である旨を前記表示手段に表示することを特徴とする請求項１記載の放送受信装置。
【請求項４】
前記ビデオ・オン・デマンドを含む複数のサービスにより視聴可能な番組についてはその旨を識別可能に、前記電子番組ガイド出力手段は前記電子番組ガイドを生成することを特徴とする請求項２または請求項３記載の放送受信装置。
【請求項５】
更に、前記出力手段により出力された電子番組ガイド情報に対して、ユーザがビデオ・オン・デマンドにより視聴可能な番組について選択したとき、放送波とビデオ・オン・デマンドのいずれの方法にて前記番組を視聴するかを問い合わせるＧＵＩを生成する手段と、
このＧＵＩ生成手段に対するユーザの操作に応じた方式にて前記番組を取得し前記表示手段に表示するために出力する番組出力手段を備えたことを特徴とする請求項２または請求項３記載の放送受信装置。
【請求項６】
更に、前記出力手段が出力した電子番組ガイドを表示する表示手段を備えたことを特徴とする請求項１乃至５のいずれか１項記載の放送受信装置。
【請求項７】
放送により送られた番組の電子番組ガイド情報を第１の電子番組ガイド情報受信手段により受信し、
番組をネットワークから入手するための接続先を含む電子番組ガイド情報を第２の電子番組ガイド情報受信手段により受信し、
前記第１の電子番組ガイド情報受信および前記第２の電子番組ガイド情報受信から両電子番組ガイド情報の相互の関連性を判定して関連性が深いと判定された場合に１つの電子番組ガイドを生成して表示手段に出力することを特徴とする放送受信方法。
【発明の詳細な説明】
【技術分野】
【０００１】
本発明は、放送受信装置および放送受信方法に関し、特に放送およびネットワークからの番組を受信することが可能な放送受信装置および放送受信方法に関する。
【背景技術】
【０００２】
従来の放送受信装置においては、例えば放送によるＥＰＧとビデオ・オン・デマンド（ＶＯＤ）などをタグ別のＧＵＩで表示している放送受信装置もある（例えば、特許文献１参照）。
【０００３】
また、放送用EPG画面でVODメニューの番組選択も可能とすることにより、番組選択時の利便性を向上させるという映像配信装置もある（例えば、特許文献２参照）。
【０００４】
しかしこの例では、VODサーバ上の番組選択情報を特定の形式（ＳＩ（Ｓｅｒｖｉｃｅ  Ｉｎｆｏｒｍａｔｉｏｎ）形式）に揃え、一度地上デジタル放送などの放送再送信装置に送信し、放送再送信装置にてEPG情報を統合した上で、受信機に送信する。即ち形式や装置に制約があった。
【０００５】
一方特許文献３に記載されている配信装置は、テレビ番組用EPGデータを複数ソースから自動的に収集し、複数のEPGプロバイダーにカスタマイズされたEPGを配信する、EPGデータ管理システムを提供するというものである。しかしこの例は番組情報、及び番組の放送情報のデータベースを構築・管理・配信する手法についての発明が主であり、番組情報をエンドユーザに提示する技術についての開示はない。
【０００６】
以上、番組を実際に視聴するエンドユーザに、利用可能なサービスに関する情報をいかに使いやすい形で提供するかについての発明が求められている。例えば、視聴することが可能な番組について同じ一覧表に加えて電子番組表として表示させることが自由には行われていない。よってこのように表示した電子番組表を用いて番組を選択することに制約があるという問題があった。
【特許文献１】特開２００４−２６６７９９号公報
【特許文献２】特開２００７−１８０６８８号公報
【特許文献３】特開２００４−１６６２２０号公報
【発明の開示】
【発明が解決しようとする課題】
【０００７】
本発明は、視聴することが可能な番組について同じ一覧表に加えて電子番組表としてユーザが表示させることがより自由にできる放送受信技術を提供することを目的とする。
【課題を解決するための手段】
【０００８】
上記課題を解決するために、本発明の放送受信装置は、放送により送られた番組の電子番組ガイド情報を受信する第１の電子番組ガイド情報受信手段と、番組をネットワークから入手するための接続先を含む電子番組ガイド情報を受信する第２の電子番組ガイド情報受信手段と、前記第１の電子番組ガイド情報受信手段および前記第２の電子番組ガイド情報受信手段からそれぞれ得られた前記電子番組ガイド情報の相互の関連性を判定する関連性判定手段と、この関連性の判定において関連性が深いと判定された場合に前記それぞれ得られた前記電子番組ガイド情報から１つの電子番組ガイドを生成して表示手段に出力する電子番組ガイド出力手段とを備えたことを特徴とする。
【０００９】
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【発明の効果】
【００１０】
本発明によれば、視聴することが可能な番組について同じ一覧表に加えて電子番組表としてユーザが表示させることがより自由にできる放送受信技術が得られる。
【発明を実施するための最良の形態】
【００１１】
以下、図面を参照しながら本発明の実施形態について説明する。
（実施形態１）
本発明による実施形態１を図１乃至図５を参照して説明する。
図１は、この発明を適用したデジタルテレビジョン放送受信装置１１１の外観と、このデジタルテレビジョン放送受信装置１１１を中心として構成されるネットワークシステムの一例を概略的に示している。
【００１２】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えば液晶表示パネル等でなる平面パネル型の映像表示器１１４、スピーカ１１５、操作部１１６、リモートコントローラ１１７から送信される操作情報を受ける受光部１１８等が設置されている。
【００１３】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１４】
さらに、このデジタルテレビジョン放送受信装置１１１には、例えば契約情報等の記録された第２のメモリカード（ＩＣカード）１２０が着脱可能となっており、この第２のメモリカード１２０に対して前記契約情報等の情報の記録再生が行なわれるようになっている。
【００１５】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００１６】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００１７】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００１８】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、コンテンツサーバ１２８、ＨＤＤ内蔵のＤＶＤ（Digital Versatile Disk）レコーダ１２９等の機器を接続し、これらの機器と情報伝送を行なうために使用される。
【００１９】
なお、コンテンツサーバ１２８については、家庭内ネットワークにおいてコンテンツのサーバ機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００２０】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００２１】
さらに、この第２のＬＡＮ端子１２２は、ハブ１２６に接続されたブロードバンドルータ１３１を介して、例えばインターネット等のネットワーク１３２に接続し、このネットワーク１３２を介してコンテンツサーバ１３３や携帯電話１３４等と情報伝送を行なうために使用される。
【００２２】
なお、コンテンツサーバ１３３についてはコンテンツのサーバ機器として動作するための機能を持ち、さらにコンテンツのアクセスに必要なＵＲＩ情報を提供するサービスを備えたＵＰｎＰ対応機器として構成される。
【００２３】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２４】
さらに、上記ｉ．ＬＩＮＫ端子１２４は、例えばＡＶ−ＨＤＤ１４１、Ｄ（Digital）−ＶＨＳ（Video Home System）１４２等をシリアル接続し、これらの機器と情報伝送を行なうために使用される。
【００２５】
図２は、上記したデジタルテレビジョン放送受信装置１１１の主要な信号処理系を示している。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００２６】
チューナ２４５ａは、制御部２６１からの制御信号により所望のチャンネルの放送信号を選局し、この選局された放送信号をＰＳＫ（Phase Shift Keying）復調器２４５ｂに出力する。
【００２７】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００２８】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内の図示しないＳＴＤバッファ２４７ｆへ出力する。
【００２９】
また、ＴＳ復号器２４５ｃは、デジタル放送により送られているセクション情報を信号処理部２４７内の図示しないセクション処理部２４７ｈへ出力する。
また、地上波放送受信用のアンテナ２４８で受信した地上デジタルテレビジョン放送信号は、入力端子２４９を介して地上デジタル放送用のチューナ２５０ａに供給される。
【００３０】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００３１】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００３２】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００３３】
また、ＴＳ復号器２５０ｃは、デジタル放送により送られているセクション情報をセクション処理部２４７ｈへ出力する。
ここで、上記信号処理部２４７は、テレビ視聴時には、ＴＳ復号器２４５ｃおよびＴＳ復号器２５０ｃからそれぞれ供給されたデジタルの映像信号及び音声信号に対して、選択的に所定のデジタル信号処理を施し、グラフィック処理部２５４及び音声処理部２５５に出力している。また、信号処理部２４７は、コンテンツ再生時には、制御部２６１から入力されたコンテンツの再生信号を選択し、所定のデジタル信号処理を施し、グラフィック処理部２５４及び音声処理部２５５に出力している。
【００３４】
制御部２６１には、信号処理部２４７から、番組を取得するための各種データや電子番組ガイド（ＥＰＧ）情報，番組属性情報（番組ジャンル等），字幕情報等（サービス情報、ＳＩやＰＳＩ）が入力されている。
【００３５】
制御部２６１は、これら入力された情報からＥＰＧ，字幕を表示するため画像生成処理を行い、この生成した画像情報をグラフィック処理部２５４へ出力する。
セクション処理部２４７ｈは、ＴＳ復号器２４５ｃ（２５０ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部２６１へ出力する。
【００３６】
グラフィック処理部２５４は、信号処理部２４７内の図示しないＡＶデコーダ２４７ｇから供給されるデジタルの映像信号と、ＯＳＤ（On Screen Display）信号生成部２５７で生成されるＯＳＤ信号と、データ放送による画像データと、制御部２６１により生成されたＥＰＧ，字幕信号とを合成して映像処理部２５８へ出力する機能を有する。
【００３７】
また、字幕放送による字幕を表示するとき、グラフィック処理部２５４は、制御部２６１からの制御による字幕情報に基づき、映像信号上に字幕情報を重畳する処理を行う。
【００３８】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００３９】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００４０】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００４１】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００４２】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送を行なうことができる。
【００４３】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送を行なうことができる。
【００４４】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送を行なうことができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００４５】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送を行なうことができる。
【００４６】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図１参照）と、ＵＳＢ  Ｉ／Ｆ２７１を介して情報伝送を行なうことができる。
【００４７】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ  Ｉ／Ｆ２７２を介して情報伝送を行なうことができる。
【００４８】
ところで、この実施形態では、ＨＤＤ１２５に初期登録時のＨＤＤ１２５、ＨＤＤ１２７、コンテンツサーバ１２８、ＤＶＤレコーダ１２９それぞれに割り当てられたストレージＩＤ（ＩＰアドレス、機器名を含む）を記述した登録ファイルを記憶保持している。
【００４９】
また、不揮発性メモリ２６１ｃに、ＨＤＤ１２５、ＨＤＤ１２７、コンテンツサーバ１２８、ＤＶＤレコーダ１２９それぞれのストレージＩＤを記憶している。
また、制御部２６１は、この発明に係わる機能として、ＵＰｎＰを利用したサーバ機器発見機能２６１ｄと、ＵＰｎＰを利用したコンテンツ情報取得機能２６１ｅと、コンテンツアクセス制御機能２６１ｆとを備えている。
【００５０】
制御部２６１は、サーバ機器発見機能２６１ｄにより、ＵＰｎＰのディスカバリ機能を用いてネットワーク上のＵＰｎＰ対応機器を発見する。例えばサーバ機器発見機能２６１ｄは、ＵＰｎＰのディスカバリ機能を用いてコンテンツサーバ１２８を発見する。
【００５１】
制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、コンテンツサーバ１２８をコントロールし、コンテンツサーバ１２８内のＨＤＤ等に蓄積されているコンテンツをアクセスするために必要なＵＲＩ情報をコンテンツサーバ１２８から取得する。
【００５２】
制御部２６１は、コンテンツアクセス制御機能２６１ｆにより、サーバ機器発見機能２６１ｄにより取得したサーバ機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００５３】
さて本実施形態はデジタル放送を受信可能な装置で、電子番組表（EPG）を利用可能であり、更に、ネットワークI/Fを持ち、ネットワーク上の特定のサーバにアクセスしてVideo On Demandサービスを受けることのできる装置で、下記の特徴を持ったデジタル放送受信装置である（以下、単に受信装置と表記する。）。
【００５４】
（１）放送波のEPGから取得した番組情報とVODサービス上で利用できるコンテンツの番組メタ情報（番組タイトルや出演者の情報）のマッチングを行い、同一タイトルか判定する。このとき、同一タイトルでなくても、同一シリーズの他のタイトルであったり、関連性の深いタイトルであれば、判定結果を記憶しておく。番組メタ情報のマッチング方法は、VODサービスが提供する番組メタ情報の形式に依存するが、例えばタグによって意味づけられた文字列を、メタ情報間で比較し、その一致度を計算するといった方法が有効である。
【００５５】
（２）受信装置でEPGの番組表表示を行う際に、番組表の中にVODで利用できる同一タイトルが存在すればその情報をEPGの該当番組の情報欄に併記する（図３の画面表示３内の３１「[VOD1][VOD2]」）。同一シリーズの他タイトルや関連性の深いタイトルが存在する場合には、その情報をEPG上に併記しても良いし、さらに番組の詳細画面を開いたときに表示しても良い（図４）。一致度に基づいて併記と詳細画面のいずれの処理にするか決めるようにしておいてもよい。
【００５６】
（３）同一のタイトルを複数のVODサービスが提供している場合には、それらを併記して表示することが可能である。さらに、各VODサービスにおける利用形態（利用料金や、利用期間などのライセンス情報）を併記する。
【００５７】
場合によっては、最も低額のサービスを強調表示したり、利用期間に応じた色分け表示を行うなどといったことも可能とする。また、ユーザ操作によりVODサービス毎に表示の有無を設定できるようにしても良い（図４）。
【００５８】
（４）VODの情報が併記されたEPG、あるいは番組の詳細画面から、ユーザの操作によって直接VODサービスを利用できる。
（５）上記（１）〜（４）については、EPGに限らずにVODサービスのポータル画面や、HDDなどの記憶媒体上に録画したタイトルの番組リストの表示に応用しても良い。また、複数のVODサービスを横断的に表示する番組ガイド表を作成しても良い。
【００５９】
（６）放送番組視聴中に、その番組と同一のタイトルがVODサービスで提供されている場合に、その旨をユーザに通知する。通知の手段は、選局後にポップアップ形式で情報を提示しても良いし、ユーザがリモコン操作で情報を表示させる形であっても良い（図５）。
【００６０】
（７）（６）においてユーザに提示する情報は、（３）と同様に同一タイトルに限定せず、同一シリーズの他タイトルや関連タイトル、あるいはそれら複数であっても良い。さらに、低額サービスの強調表示（ハイライト、文字の大きさ、太字、ブリンク等）や利用期間に応じた色分けなどを行っても良い。
【００６１】
（８）（１）〜（６）において、映像コンテンツとその番組メタ情報を放送波、またはネットワーク経由で利用できるサービスであればVODサービスに限定する必要はない。例えば、IPTV放送や番組ダウンロードサービス（受信装置のHDDに蓄積し後から視聴する形態等）などで同一タイトル、同一シリーズの他タイトル、あるいは関連タイトルを利用できる場合には、その情報を併記しても良い。
【００６２】
実施形態１の効果として、ユーザの利便性をさらに向上させることが出来る。また、VODサービス提供者は特定のタイトルだけでなく、関連タイトルをユーザに使いやすい形でアピールすることが出来る。
【００６３】
本実施形態では、EPG情報を統合するために放送再送信装置を用いない。また、VODサーバ上の番組選択情報を特定の形式に変換する必要がない。よって、放送再送信装置の置き換えや、すでに開始されているVODサービスへの手直しが不要となる。
【００６４】
（実施形態２）
本発明による実施形態２を図１乃至図６を参照して説明する。実施形態１と共通する部分は説明を省略する。
本実施形態では、番組ガイド情報生成サーバを利用する（図６）。個々の受信装置（１１１ａ、１１１ｂ、１１１ｃ…）で放送番組とVODサービス上で利用できるコンテンツのマッチングを行うのではなく、それを一括して行う番組ガイド情報生成サーバ６を用意する。
【００６５】
番組ガイド情報生成サーバ６は、地上デジタル・BS・CS・その他CATV等の放送のEPGを取得し、さらに各VODサーバ（６１ａ、６１ｂ…）が提供するコンテンツのメタ情報を検索することにより、同一タイトル、及び関連タイトルの判定を行う。メタ情報の検索には、各VODサービス提供者が用意した検索手段を用いても良いし、取得可能な全てのVODサービスのメタ情報を番組ガイド情報生成サーバにキャッシュとして取り込み、キャッシュデータに対して検索をかけても良い。
【００６６】
得られた情報を元に、番組ガイド情報を生成する。この番組ガイド情報は、現行のEPG情報にVODサービスを追記する形であっても良いし、特定のVODサービスのポータルに放送番組や他のVODサービスの情報を併記する形であっても良いし、独自の横断的な番組ガイド情報を生成しても良い。
【００６７】
各受信装置は、この番組ガイド情報生成サーバから得た番組ガイド情報を元に番組ガイドを表示する。あるいは、各受信装置は、番組ガイド情報生成サーバから、放送番組とVODサービス上で利用できるコンテンツの関連情報だけを取得して、実施形態１の機能を実現しても良い。
【００６８】
実施形態２により、各受信装置がVODサービスのメタ情報検索を行う必要がなくなるため、処理の負荷を軽減できる。また各VODサービスについても、メタ情報検索のために個々の受信機からでなく、特定の番組ガイド情報生成サーバからのみアクセスされるため、かかる負荷を軽減できる。
【００６９】
以上の実施形態の効果として、下記の点でユーザの利便性が向上する。
１．使い慣れたユーザインターフェイスでVODを利用できる。
２．複数のサービスをEPGをポータルとして利用することが出来るため、各サービスのポータルをそれぞれ検索する必要性が減少する。
３．将来放送予定の番組を、他のサービスで今現在視聴可能かどうか、簡単に知ることが出来る。
４．シリーズの過去の番組や関連番組を（サービスが存在すれば）簡単に利用できるようになる。
５．他のサービスで利用可能か簡単に確認することが出来るため、録画の必要性の有無を判断でき、ストレージの容量節約や、録画したい番組が複数重なった場合に録画の優先順位を決める手助けとなる。
【００７０】
６．現在放送中の番組を途中から視聴し始めた場合に、そのタイトルを利用可能なVODサービスを提示することで、ユーザがタイトルの最初から視聴できるようになる。
【００７１】
７．各VODサービス提供者は、ユーザにサービスを使いやすい形でアピールできるため、ユーザの利用増加が期待できるようになる。
なお、この発明は上記実施形態に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００７２】
【図１】本発明を適用したデジタルテレビジョン放送受信装置１１１の外観と、このデジタルテレビジョン放送受信装置１１１を中心として構成されるネットワークシステムを説明するための図。
【図２】デジタルテレビジョン放送受信装置１１１の主要な信号処理系を示す図。
【図３】実施形態の効果を説明するために示すEPGの画面表示例。
【図４】同実施形態の番組の詳細画面例。
【図５】同実施形態に用いられる番組視聴中の情報表示例。
【図６】同実施形態の番組ガイド情報生成サーバを説明するために示す図。
【符号の説明】
【００７３】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ｉ．ＬＩＮＫ端子、１２５，１２７，１３９…ＨＤＤ、１２６，１３５…ハブ、１２８，１３３…コンテンツサーバ、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ。
【図１】
2010109497.tif 000003
【図２】
2010109497.tif 000004
【図３】
2010109497.tif 000005
【図４】
2010109497.tif 000006
【図５】
2010109497.tif 000007
【図６】
2010109497.tif 000008